(57)【要約】【課題】本発明はＵ字形状本体を有するカムフォロアータイプのロッカーアームを提供する。【解決手段】本発明のカムフォロアータイプのロッカーアームは、逆さまにされたＵ字形の頂部で中間開口部をもつＵ字形断面をもつ本体を備えること及び開口部の内側幅よりも狭い外側幅を有すること、本体側壁に垂直な突出部を形成することによって提供される。ローラは両側面の外周面段形状部を有し、ローラ外周面で小さい幅を本体開口部に延ばすことを可能にし、ローラが本体に組立てられるときにローラの大きい幅がローラ側面の接近運転クリアランスを本体の内側壁に維持する。【選択図】図５
2010090887.tif 000002
【特許請求の範囲】
【請求項１】
ローラ用開口部をもつ複数の側壁を有しこれらの側壁が結合された断面がほぼＵ字形状の本体と、
軸を有するローラであって、この軸により前記本体の側壁内の前記ローラ用開口部に取り付けられた前記ローラと、を有し、
前記ローラ用開口部は、側壁間の幅より狭い幅を有し且つ前記本体の側壁に垂直な突出部により形成され、さらに、前記ローラには、前記突出部と一致するような相対的に小さい外周面幅を有する段形状部が形成されていることを特徴とするカムフォロアータイプのロッカーアーム。
【請求項２】
前記本体の前記突出部により、前記ローラの外周面の小さい幅にのみアクセス可能となっている請求項１に記載のカムフォロアータイプのロッカーアーム。
【請求項３】
前記本体側壁に垂直な突出部を形成する前記本体の内側幅よりも狭い中間窓開口部であるローラ用開口部を備えた請求項１に記載の断面Ｕ字形状の本体。
【請求項４】
請求項２の前記中間窓開口部内に延びるための小さな幅を有し且つ接近したクリアランスを請求項２の前記本体の前記側壁に維持するための大きな幅を有する両側面に設けられた移行部を備えた請求項１に記載のローラ。
【請求項５】
前記本体の側壁に垂直な突出部を形成する前記本体の内側幅よりも狭い中間窓開口部を有する請求項１に記載の断面が逆Ｕ字形状の本体。
【請求項６】
前記ローラが請求項２の前記中間窓開口部内に延びることを可能にするような前記ローラのいずれか一方の側面に設けられたスペーサ（図示せず）、及び、接近したクリアランスを請求項２の前記本体の前記内側壁に維持する前記ローラとスペーサの積み重ねを使用する請求項１に記載のローラ。
【発明の詳細な説明】
【技術分野】
【０００１】
本発明は、カムフォロアータイプのロッカーアームに係わり、特に、逆さにされたときに、頂部に中間開口部、本体内側に配置され且つ開口部を通してアクセス可能であり且つＵ字形本体の側面に固定された軸に取り付けられたローラ、を有するＵ字形本体を備えたカムフォロアータイプのロッカーアームに関する。
【背景技術】
【０００２】
米国特許第4,825,717号明細書に記載された種類の従来のカムフォロアータイプのロッカーアームの開示内容は、本願に援用され、且つ、本発明はこの発明の改良発明である。米国特許第4,825,717号明細書は中間開口部をもつＵ字形断面本体を含み、Ｕ字形断面本体の幅は本体内側壁と同じ幅である。本体側壁と開口部との間にカムフォロアータイプのロッカーアームが配置される。本体内に配置されたときローラは側壁の間に獲得され且つ中間開口部に延び且つ中間開口部内で回転する。米国特許第4,799,464号明細書の本文には、Ｕ字形断面のボートタイプのロッカーアームのための矩形開口部を使用することが記述されている。ボートタイプのロッカーアームが窓を通して延びるシャンクを有するペデスタルによって中心に支持されるために、このタイプのロッカーアームはカムフォロアータイプとは異なる。ボートタイプの側壁において垂直の突出部（ledge）は、作動時に荷重を支持するために使用される。
【発明の開示】
【発明が解決しようとする課題】
【０００３】
本発明は、本体側壁に垂直な突出部（ledge）を形成する本体開口部に側壁の内側幅よりも狭い外側幅をもつ突出部開口部を有する本体を備えているので、従来技術から区別可能である。円筒形ローラはその外周面の両端に移行段形状部を有し、この移行段形状部により、伸ばされるときにローラの小さい幅を外側窓内まで延ばすこと及び組立てられるときに大きな幅を接近運転クリアランスを本体の内側壁に対して維持することが可能となる。Ｕ字形状本体の２つの垂直側面を結合する部分における突出部開口部又は窓は、Ｕ字形状本体の頂部又は底部に形成されるようにしてもよい。この突出部は、分析用ツール及び実静的試験を使用することによって証明可能なように、ロッカーアーム剛性を改善する構造体を提供する機能を果たす。ローラ外周面直径よりも下側に突出部を設けることは望ましくない。これによりロッカーアーム剛性は増大するが、従来のカムフォロアータイプのロッカーアームよりも全体質量及び慣性モーメント（旋回軸を中心に質量を回転させる）が著しく増大する。剛性及び慣性モーメントの最適化は、エンジン性能全体に寄与する重要な手法である。
【課題を解決するための手段】
【０００４】
本発明によるロッカーアームは、カムフォロアータイプのものであり、且つ、冷間成形操作によって作られるのが好ましく、垂直に配置された壁によって結合された２つの構造的に一体な側壁を有しその長さの大部分が断面Ｕ字形状のほぼ凸形状の本体の一体金属本体を備えている。ロッカーアーム本体は、ロッカーアームが旋回可能であるリフタポストの上部部分を受け入れるように一端に形成されたくぼみと、バルブステムの端部を受け入れるようになった本体の反対端に第２くぼみを備えている。Ｕ字形状本体の側面を結合する壁の中央部には、ほぼ矩形の開口部が形成されている。矩形開口部の幅、即ち横断寸法は、ロッカーアーム本体の一側面から他方に、全域ではないが、開口部が十分に延びるように頂部壁の幅よりも狭くなっている。
【０００５】
段形成された外周面をもつカム接触ローラは、本体に取付けられ且つ揺ロッカーアームによって回転可能に支持され、このローラーは、段形成されたローラの外周面周辺の表面がカムに係合するために矩形本体開口部を通って露出されるようになっている。カム接触ローラは、長方形開口部の下に本体の側壁によって支持された軸に回転可能に取り付けられている。ローラは、最小の摩擦力を与えるような多様な針軸受を備えていることが好ましい。
【発明を実施するための最良の形態】
【０００６】
図面を参照すると、図１に示すように、弁装置１０は、カムフォロアータイプのロッカーアーム１１、カムフォロアータイプのロッカーアーム１１の一端に係合する油圧ラッシュアジャスタ１２、カムフォロアータイプのロッカーアーム１１の反対側の端部に接触するバルブステム１３とを備え、また、油圧ラッシュアジャスタ１２とバルブステム１３との間に設置されたカム１４は、カムフォロアータイプのロッカーアーム１１と接触する。バルブステム１３は、コイル圧縮ばね１５を通ってシリンダヘッド（図示せず）から上方へ延び、このコイル圧縮ばね１５は、シリンダヘッド及びバルブステム１３に取り付けられた保持リング１６に対して従来から着座している。カム１４は回転することができる。カム１４の回転運動は、油圧ラッシュアジャスタ１２を中心に旋回し且つバルブステム１３を直線的に移動させるカムフォロアータイプのロッカーアーム１１を通して伝達される。
【０００７】
図２において、カムフォロアータイプのロッカーアーム１１は、バルブステム１３（図１）に接触する第１下部セクション２０及び油圧ラッシュアジャスタ１２（図１）に係合する第２下部セクション２１によって互いに結合された垂直面１８を備えたＵ字形状本体１７を備えている。両方の下部セクション２０、２１は、垂直面１８と垂直に延びる。好ましくは円筒形針２３内に設けられた円筒形ローラ２２は、円筒形軸に取付けられる。ローラ２２は、カム１４（図１）に接触し、垂直面１８の間に設置され、且つ、中間矩形窓面２５に延びる。面２６、面２７は、それぞれ下部セクション２０、２１を通って延び、さらに、ローラー２２に対してクリアランスを許容する十分な幅を有する。
【０００８】
図３に示すように、窓面２５は、垂直面１８と同じ幅である。ローラ端面２８及び垂直面１８は、本質的には、組立てられたときに約0.2ないし0.8の全体にトータルクリアランスを有する。ローラ外側外周面２９及びローラ端（コーナー）面２８は、クリアランスをもつ矩形窓面２５，２６（図２）及び２７（図２）に延びる。
【０００９】
図４において、カムフォロアータイプのロッカーアーム１１のための本発明は、下部セクション２０aによって互いに結合された垂直側面１８aをもつＵ字形状本体１７aを備え、この下部セクション２０ａは、バルブステム１３（図１）に接触する一端部と、油圧ラッシュアジャスタ１２（図１）に係合する反対側の端部を有する。下部セクション２０aは垂直面１８aに垂直である。円筒形ローラ２２a及び円筒形針２３は、円筒形軸２４に取り付けられる。ローラ２２aは、図１のカム１４と接触し且つ垂直面１８aと中間矩形窓面２５aとの間に設置される。面２６a、面２７aは、下部セクション２０aを通って伸び、さらに、ローラー２２ａに対してクリアランスを許容するのに十分な幅を有している。
【００１０】
図５において、窓面２５aは、垂直面１８aより小さい幅を有し、材料厚さの３０％の最小距離を有する突出部を形成している。ローラ２２aは、垂直面１８aとローラ端面２８aとの間に0.2ないし0.8のトータルクリアランスを可能にする両端上の移行面３０aを有する。ローラ外周面２９a及びローラ移行面３０aは、クリアランスをもつ矩形窓面２５a、２６a（図４）及び２７a（図４）内に延びる。
【００１１】
本発明は特定の実施形態によって記述されるけれども、本発明は、実施形態に限定されることを意味しない。例えば、好ましい本体形態がほぼＵ字形断面からなる一方で、また、本体はそのように限定される必要はない。依然として本発明の利益を得る間、種々の追加の変更が使用された部分の割合及び構成になされることができる。この結果本発明は特許請求の範囲によってのみ限定される。
【図面の簡単な説明】
【００１２】
【図１】カムフォロアータイプのロッカーアーム、バルブステム及び油圧ラッシュアジャスタを備えた代表的な端旋回のオーバーヘッドカム方式の弁装置である。
【図２】カムフォロアータイプのロッカーアームのための部品を示す従来技術の断面図である。
【図３】ローラ中心の回りから見た図２の断面図である。
【図４】カムフォロアータイプのロッカーアームのための部品を示す本発明の断面図である。
【図５】ローラ中心の回りから見た図４の断面図である。
【図１】
2010090887.tif 000003
【図２】
2010090887.tif 000004
【図３】
2010090887.tif 000005
【図４】
2010090887.tif 000006
【図５】
2010090887.tif 000007
【外国語明細書】
2010090887.tif 000008
2010090887.tif 000009
2010090887.tif 000010
2010090887.tif 000011
2010090887.tif 000012
2010090887.tif 000013
2010090887.tif 000014
2010090887.tif 000015
2010090887.tif 000016